(57)【要約】【課題】部品点数及び工数の増加、並びに開口率の低下を招くことなく、容易に施工可能な折板採光装置、接合部材、及び折板採光装置の施工方法を提供する。【解決手段】折板採光装置１は、透光性を有する採光部材２０を備え、金属製の折板屋根材１０の一部に設けた採光用開口部１１に採光部材２０を被せる。採光部材２０における屋根の流れ方向に沿う両側端部に沿って採光部材２０に固定されて垂下状態に設けられた可撓性を有する採光部材支持板３０と、採光部材支持板３０の垂下板傾斜面３２ａ・３２ａを折板屋根材１０における採光用開口部１１を挟んで隣接する山部１２・１２の各外側傾斜面１２ｃ・１２ｃに直接的又は間接的に当接させた状態で、採光部材支持板３０と山部１２・１２の外側傾斜面１２ｃ・１２ｃとを固定する固定部材４０・４０とからなっている。【選択図】図１
2013185374.tif 000002
【特許請求の範囲】
【請求項１】
透光性を有する採光部材を備え、金属製の折板屋根材の一部に設けた採光用開口部に上記採光部材を被せる折板採光装置において、
上記採光部材における屋根の流れ方向に沿う両側端部に沿って該採光部材に固定されて垂下状態に設けられた可撓性を有する採光部材支持板と、
上記採光部材支持板を上記折板屋根材における採光用開口部を挟んで隣接する山部の各外側傾斜面に直接的又は間接的に当接させた状態で、該採光部材支持板と該山部の外側傾斜面とを固定する固定部材とからなっていることを特徴とする折板採光装置。
【請求項２】
前記固定部材は、ブラインドリベットからなっていることを特徴とする請求項１記載の折板採光装置。
【請求項３】
前記採光部材支持板は、前記折板屋根材と同一種の材料からなっていることを特徴とする請求項１又は２記載の折板採光装置。
【請求項４】
前記採光部材は、ハニカム状複層板を備えていることを特徴とする請求項１，２又は３記載の折板採光装置。
【請求項５】
前記採光部材は、ハニカム状複層板の下側に透光性を有する難燃性のシートを備えていることを特徴とする請求項４記載の折板採光装置。
【請求項６】
前記採光部材は、屋根の流れ方向に沿って直列に複数設けられると共に、
各採光部材の間には、該採光部材の突き合わせ面に両面防水テープが貼着され、かつ樋機能を有する断面錨状の接合部材が設けられることを特徴とする請求項１〜５のいずれか１項に記載の折板採光装置。
【請求項７】
請求項１記載の折板採光装置に備えられ、採光部材が屋根の流れ方向に沿って直列に複数設けられる場合に各採光部材の間に使用される接合部材であって、
断面錨状にてなり、上記採光部材の突き合わせ面には両面防水テープが貼着されていると共に、底部には樋部が設けられていることを特徴とする接合部材。
【請求項８】
請求項１記載の折板採光装置を施工する折板採光装置の施工方法であって、
採光部材における屋根の流れ方向に沿う両側端部に沿って固定されて垂下状態に設けられた採光部材支持板を、折板屋根材における採光用開口部を挟んで隣接する山部の各外側傾斜面に直接的又は間接的に当接させる当接工程と、
上記採光部材支持板と上記山部の外側傾斜面とを当接した状態にてブラインドリベットからなる固定部材を用いて外側から固定する固定工程とを含むことを特徴とする折板採光装置の施工方法。
【請求項９】
屋根の流れ方向に沿って直列に複数の採光部材を設ける場合に、
上記採光部材の突き合わせ面に両面防水テープが貼着されており、かつ樋機能を有する断面錨状の接合部材を各採光部材の間に設ける介在工程と、
上記接合部材を介在させた状態で、接合部材に貼着された両面防水テープに上記採光部材を突き合わせる、突き合わせ工程とを含むことを特徴とする請求項８記載の折板採光装置の施工方法。
【発明の詳細な説明】
【技術分野】
【０００１】
本発明は、透光性を有する採光部材を備え、金属製の折板屋根材の一部に設けた採光用開口部に上記採光部材を被せる折板採光装置、接合部材、及び折板採光装置の施工方法に関するものであり、詳細には、施工容易な折板採光装置、接合部材、及び折板採光装置の施工方法に関する。
【背景技術】
【０００２】
従来、鋼板折板屋根の一部に採光用開口部を設け、該採光用開口部に透光性樹脂又は網入りガラスからなる採光板を架け渡して設けることにより採光屋根部を形成することが行われている。
【０００３】
例えば、特許文献１に開示された採光屋根部１００の構造では、図８（ａ）（ｂ）に示すように、金属製の折版屋根材１０１の一部に一定幅を有する採光用開口部１０２を設け、この採光用開口部１０２に屋根の傾斜方向に透光性を有する中空合成樹脂板１０３を複数枚直列状に張設している。
【０００４】
そして、中空合成樹脂板１０３を採光用開口部１０２に取り付ける場合には、まず、採光用開口部１０２に、図示しない梁等の建物構造部材に支持される立設部材１０４・１０４を固定し、この立設部材１０４・１０４の上端に溝型鋼１０５…を屋根の傾斜方向に間隔をあけて架け渡す。次いで、溝型鋼１０５に中空合成樹脂板１０３を載置した後、該中空合成樹脂板１０３をボルト１０６…にて溝型鋼１０５に締結固定する。これにより、中空合成樹脂板１０３は、図示しない梁等の建物構造部材に支持されることになるので、中空合成樹脂板１０３を強固に取り付け可能となっている。
【０００５】
また、例えば、特許文献２に開示された採光外囲体２００においては、図９（ｃ）に示すように、２重の採光板２１１・２１２を支持する採光板支持体２１０を、建築用板２０１の採光用開口部２０２に取り付ける場合には、図９（ａ）に示すように、まず、下架橋部２２１と上架橋部２２２とで構成される架橋部２２０を採光用開口部２０２に架け渡して、該下架橋部２２１と上架橋部２２２とをボルト２２３・２２３にて固定する。次いで、図９（ｂ）（ｃ）に示すように、採光板２１１・２１２を支持する採光板支持体２１０を、上記架橋部２２０の上架橋部２２２にビス２３０・２３０にて固定する。これにより、採光板支持体２１０を建築用板２０１の採光用開口部２０２に簡単に取り付けることができるものとなっている。
【先行技術文献】
【特許文献】
【０００６】
【特許文献１】特開２００６−２４１８０４号公報（２００６年９月１４日公開）
【特許文献２】特開２００４−１３７８２４号公報（２００４年５月１３日公開）
【発明の概要】
【発明が解決しようとする課題】
【０００７】
しかしながら、上記従来の折板採光装置では、以下の問題点を有している。
【０００８】
すなわち、特許文献１に開示された採光屋根部１００の構造では、中空合成樹脂板１０３を採光用開口部１０２に取り付ける場合に、その支持として、図示しない梁等の建物構造部材を用いている。したがって、建物構造部材の支持を得るために、採光用開口部１０２に、建物構造部材に支持される立設部材１０４・１０４を固定しなければならず、施工が複雑となる。
【０００９】
また、上記採光屋根部１００の構造では、立設部材１０４・１０４に溝型鋼１０５…を屋根の傾斜方向に間隔をあけて架け渡している。
【００１０】
この構成は、特許文献２に開示された採光外囲体２００においても同様であり、採光外囲体２００では、下架橋部２２１と上架橋部２２２とで構成される架橋部２２０を採光用開口部２０２に架け渡している。
【００１１】
したがって、これら溝型鋼１０５…又は架橋部２２０を設けるためにも、部品点数の増加、工数の増加を招来するものとなっている。
【００１２】
ここで、これら溝型鋼１０５…又は架橋部２２０を設ける理由は、以下のように考えられる。
【００１３】
すなわち、鋼板からなる折板屋根は長い金属板からなっているので、寒暖による熱収縮量・熱膨張量が大きい。したがって、これら溝型鋼１０５…又は架橋部２２０を設けることなく、中空合成樹脂板１０３又は採光板２１１・２１２等の板材を設けたのでは、板材が受ける圧縮力及び引っ張り力が大きい。このため、網入りガラス又は透光性樹脂からなる板材は直ぐに割れてしまう。
【００１４】
それゆえ、熱収縮・熱膨張による開口幅の増減を防止するため、開口に溝型鋼１０５…又は架橋部２２０を架け渡すことが必要不可欠であると考えられ、さらには、特許文献１に開示された採光屋根部１００のように、溝型鋼１０５…を支持すべく、図示しない梁等の建物構造部材に支持される立設部材１０４・１０４を設けることがより好ましいと考えられる。
【００１５】
一方、このような溝型鋼１０５…又は架橋部２２０等の架け渡し部材は、例えば、０．５ｍピッチで設けられる。このため、開口面積が架け渡し部材の存在によって低減するという問題も存在する。この開口率の低下を招くことについては、特許文献１に開示された採光屋根部１００の構造における立設部材１０４・１０４の存在も開口率の低下の大きな要因となる。
【００１６】
本発明は、上記従来の問題点に鑑みなされたものであって、その目的は、部品点数及び工数の増加、並びに開口率の低下を招くことなく、容易に施工可能な折板採光装置、接合部材、及び折板採光装置の施工方法を提供することにある。
【課題を解決するための手段】
【００１７】
本発明の折板採光装置は、上記課題を解決するために、透光性を有する採光部材を備え、金属製の折板屋根材の一部に設けた採光用開口部に上記採光部材を被せる折板採光装置において、上記採光部材における屋根の流れ方向に沿う両側端部に沿って該採光部材に固定されて垂下状態に設けられた可撓性を有する採光部材支持板と、上記採光部材支持板を上記折板屋根材における採光用開口部を挟んで隣接する山部の各外側傾斜面に直接的又は間接的に当接させた状態で、該採光部材支持板と該山部の外側傾斜面とを固定する固定部材とからなっていることを特徴としている。
【００１８】
本発明の折板採光装置の施工方法は、上記課題を解決するために、前記記載の折板採光装置を施工する折板採光装置の施工方法であって、採光部材における屋根の流れ方向に沿う両側端部に沿って固定されて垂下状態に設けられた採光部材支持板を、折板屋根材における採光用開口部を挟んで隣接する山部の各外側傾斜面に直接的又は間接的に当接させる当接工程と、上記採光部材支持板と上記山部の外側傾斜面とを当接した状態にてブラインドリベットからなる固定部材を用いて外側から固定する固定工程とを含むことを特徴としている。尚、採光部材支持板を外側傾斜面に間接的に当接させるとは、例えば、止水や緩衝を目的とした例えばゴムシート等の介在物を採光部材支持板と外側傾斜面との間に設ける場合をいう。
【００１９】
すなわち、従来では、金属製の折板屋根材の一部に設けた採光用開口部に採光部材を被せる場合には、寒暖による熱収縮又は熱膨張に基づく採光部材の破壊を防止すべく、少なくとも採光用開口部に架け渡す架橋部材を設けて、採光用開口部の間隔が一定となるように固定した上で、該架橋部材に採光部材を支持させていた。さらには、架橋部材の伸縮を防止すべく、該架橋部材を支持するために、介在部材を設けて建物構造部材に支持させていた。その結果、架橋部材や介在部材を設けることが、部品点数及び工数の増加を招来することになっていた。また、架橋部材や介在部材の存在により、採光用開口部の一部が遮られることになり、開口率の低下を招いていた。
【００２０】
そこで、本発明の折板採光装置は、透光性を有する採光部材と、上記採光部材における屋根の流れ方向に沿う両側端部に沿って該採光部材に固定されて垂下状態に設けられた可撓性を有する採光部材支持板と、上記採光部材支持板を上記折板屋根材における採光用開口部を挟んで隣接する山部の各外側傾斜面に直接的又は間接的に当接させた状態で、該採光部材支持板と該山部の外側傾斜面とを固定する固定部材とからなっている。
【００２１】
このため、金属製の折板屋根材の一部に設けた採光用開口部に採光部材を被せる場合には、当接工程にて、採光部材における屋根の流れ方向に沿う両側端部に沿って固定されて垂下状態に設けられた採光部材支持板を、折板屋根材における採光用開口部を挟んで隣接する山部の各外側傾斜面に当接させる。次いで、固定工程にて、上記採光部材支持板と上記山部の外側傾斜面とを当接した状態にて固定部材を用いて外側から固定する。
【００２２】
この結果、本発明の折板採光装置では、架橋部材や介在部材を設ける必要がないので、部品点数及び工数の増加を招くことがなく、かつ開口率の低下を招くこともない。
【００２３】
すなわち、本発明では、採光部材支持板は、折板屋根材における山部の各外側傾斜面に当接させた状態で固定されている。したがって、金属製の折板屋根材が、寒暖により伸縮して採光用開口部を挟んで隣接する山部の間隔が伸縮したとしても、採光部材支持板が可撓性を有しているので、その伸縮は採光部材支持板が撓むことにより吸収される。この結果、採光部材が破損することはない。
【００２４】
したがって、部品点数及び工数の増加、並びに開口率の低下を招くことなく、容易に施工可能な折板採光装置、及び折板採光装置の施工方法を提供することができる。
【００２５】
ここで、本発明の折板採光装置の施工方法では、固定工程においては、上記採光部材支持板と上記山部の外側傾斜面とを直接的又は間接的に当接した状態にてブラインドリベットからなる固定部材を用いて外側から固定する。このため、施工に際して、屋根の上側のみからの作業で採光部材支持板の固定作業を行うことができるので、容易に施工することができる。したがって、工数の削減を図ることができる。
【００２６】
本発明の折板採光装置では、前記固定部材は、ブラインドリベットからなっていることが好ましい。
【００２７】
すなわち、ブラインドリベットは、片側締結工法ながら両サイドから固定するメカニズムを有し、緊密な締結を可能とするものである。この結果、施工に際して、ブラインドリベットからなる固定部材を用いることにより、屋根の上側のみからの作業で採光部材支持板の固定作業を行うことができる。したがって、容易に施工することができ、工数の削減を図ることができる。
【００２８】
本発明の折板採光装置では、前記採光部材支持板は、前記折板屋根材と同一種の材料からなっていることが好ましい。
【００２９】
これにより、採光部材支持板と折板屋根材とは同一の線膨張係数を有して互いに同じ伸縮性を有する。この結果、例えば、屋根の流れ方向において固定部材の取り付け位置等に応力がかかることがないので、固定部材の取り付け位置が破損するということがない。
【００３０】
本発明の折板採光装置では、前記採光部材は、ハニカム状複層板を備えていることが好ましい。
【００３１】
これにより、軽量であって、かつ高い剛性、耐衝撃性及び断熱性を確保することができるので、寒冷地での積雪等にも適した折板採光装置を提供することができる。
【００３２】
本発明の折板採光装置では、前記採光部材は、ハニカム状複層板の下側に透光性を有する難燃性のシートを備えていることが好ましい。
【００３３】
これにより、採光部材が例えば樹脂製品にてなっていても、一定の耐火性能を有するので、採光部材が容易に燃焼するのを防止することができる。したがって、工場等の折板屋根材に適用することができる。
【００３４】
本発明の折板採光装置では、前記採光部材は、屋根の流れ方向に沿って直列に複数設けられると共に、各採光部材の間には、該採光部材の突き合わせ面に両面防水テープが貼着され、かつ樋機能を有する断面錨状の接合部材が設けられることが好ましい。
【００３５】
本発明の折板採光装置の施工方法では、屋根の流れ方向に沿って直列に複数の採光部材を設ける場合に、上記採光部材の突き合わせ面に両面防水テープが貼着されており、かつ樋機能を有する断面錨状の接合部材を各採光部材の間に設ける介在工程と、上記接合部材を介在させた状態で、接合部材に貼着された両面防水テープに上記採光部材を突き合わせる、突き合わせ工程とを含むことが好ましい。
【００３６】
これにより、屋根の流れ方向に沿って採光部材が直列に複数設けられる場合に、介在工程にて、各採光部材の間に接合部材を介在させる。次いで、突き合わせ工程にて、接合部材に貼着された両面防水テープに上記採光部材を突き合わせる。
【００３７】
この結果、接合部材を用いることにより、複数の採光部材を直列に容易に連結することができる。そして、雨水に対しても、採光部材の突き合わせ面での両面防水テープによる止水、及び樋機能を有する断面錨状の接合部材によって２重の止水構造を有しているので、止水性能も充分である。
【００３８】
本発明の接合部材は、上記課題を解決するために、前記記載の折板採光装置に備えられ、採光部材が屋根の流れ方向に沿って直列に複数設けられる場合に各採光部材の間に使用される接合部材であって、断面錨状にてなり、上記採光部材の突き合わせ面には両面防水テープが貼着されていると共に、底部には樋部が設けられていることを特徴としている。
【００３９】
上記の発明によれば、接合部材によって、複数の採光部材を直列に容易に連結することができる。そして、雨水に対しても、本発明の断面錨状の接合部材によって、採光部材の突き合わせ面での両面防水テープによる止水ができ、万一、雨水がさらに下に漏れた場合でも底部に設けられた樋部による止水が可能となる。この結果、採光部材の突き合わせ面での両面防水テープによる止水、及び樋部による２重の止水構造を有していることになるので、止水性能も充分である。
【００４０】
したがって、部品点数及び工数の増加、並びに開口率の低下を招くことなく、容易に施工可能な折板採光装置に好適に使用される接合部材を提供することができる。
【発明の効果】
【００４１】
本発明の折板採光装置は、以上のように、採光部材における屋根の流れ方向に沿う両側端部に沿って該採光部材に固定されて垂下状態に設けられた可撓性を有する採光部材支持板と、上記採光部材支持板を上記折板屋根材における採光用開口部を挟んで隣接する山部の各外側傾斜面に直接的又は間接的に当接させた状態で、該採光部材支持板と該山部の外側傾斜面とを固定する固定部材とからなっているものである。
【００４２】
本発明の接合部材は、以上のように、断面錨状にてなり、上記採光部材の突き合わせ面には両面防水テープが貼着されていると共に、底部には樋部が設けられているものである。
【００４３】
本発明の折板採光装置の施工方法は、以上のように、採光部材における屋根の流れ方向に沿う両側端部に沿って固定されて垂下状態に設けられた採光部材支持板を、折板屋根材における採光用開口部を挟んで隣接する山部の各外側傾斜面に直接的又は間接的に当接させる当接工程と、上記採光部材支持板と上記山部の外側傾斜面とを当接した状態にてブラインドリベットからなる固定部材を用いて外側から固定する固定工程とを含む方法である。
【００４４】
それゆえ、部品点数及び工数の増加、並びに開口率の低下を招くことなく、容易に施工可能な折板採光装置、接合部材、及び折板採光装置の施工方法を提供するという効果を奏する。
【図面の簡単な説明】
【００４５】
【図１】（ａ）は本発明における折板採光装置の実施の一形態を示すものであって、折板採光装置の構成を示す斜視図であり、（ｂ）は上記折板採光装置における折板屋根材への取り付け状態を示す断面図である。
【図２】上記折板採光装置を取り付ける１枚の折板屋根材の構成を示す斜視図である。
【図３】上記折板採光装置の折板屋根材へ取り付け状態を示す分解斜視図である。
【図４】上記折板採光装置が取り付けられる屋根の一部を破断して示す部分平面図である。
【図５】（ａ）は上記折板採光装置の構成を示す組み立て分解斜視図であり、（ｂ）は組み立て分解透視図である。
【図６】（ａ）は複数の折板採光装置における連結部分の構成を示す断面図であり、（ｂ）は複数の折板採光装置における連結部分に設けられるジョイナーの構成を示す正面図である。
【図７】上記折板採光装置を複数連接する場合の各折板採光装置間に設けられるジョイナーを示す斜視図である。
【図８】（ａ）（ｂ）は、従来の折板採光装置置の構成を示す斜視図である。
【図９】（ａ）（ｂ）（ｃ）は、従来の他の折板採光装置置の構成を示す断面図である。
【発明を実施するための形態】
【００４６】
本発明の一実施形態について図１〜図７に基づいて説明すれば、以下のとおりである。
【００４７】
本実施の形態の折板採光装置１について、図１（ａ）（ｂ）に基づいて説明する。図１（ａ）は折板採光装置１の構造を示す斜視図であり、図１（ｂ）は折板採光装置１における折板屋根材への取り付け状態を示す断面図である。
【００４８】
本実施の形態の折板採光装置１は、図１（ａ）（ｂ）に示すように、透光性を有する採光部材２０を備え、金属製の折板屋根材１０の一部に設けた採光用開口部１１に採光部材２０を被せることにより、屋根の採光を行うものである。
【００４９】
上記折板採光装置１は、採光部材２０と、採光部材２０の縁端部に固定されて垂下状態に設けられた可撓性を有する採光部材支持板３０と、採光部材支持板３０を折板屋根材１０に固定する固定部材４０・４０とからなっている。
【００５０】
上記折板屋根材１０は、例えば鋼板等の金属製にてなっており、厚さ例えば０・６〜１．２ｍｍであり、働き巾が例えば５００ｍｍとなっている。屋根の流れ方向の長さは屋根の大きさによって設定可能であり、数ｍ〜数１００ｍでも可能である。詳細形状は、図２に示すように、１枚の折板屋根材１０は、山部１２の左半分と、山部１２の右半分と、その間に形成された１個の谷部１３とからなっている。そして、山部１２・１２の上縁部には、はぜ締め部１２ａ・１２ｂがそれぞれ形成されており、２組の折板屋根材１０・１０を隣接させて、はぜ締め部１２ａ・１２ｂにてはぜ締めすることにより、折板屋根材１０・１０を互いに連結するようになっている。尚、折板屋根材１０は、必ずしもこれに限らず、他の働き巾及び長さであってよく、形状は、１枚の折板屋根材１０に対して複数の山部１２を有する形状、山部１２・１２間に複数の凹凸等が存在する形状等であってもよい。
【００５１】
上記折板屋根材１０は、図３に示すように、複数枚が横並びに連設されていると共に、梁等の建築構造材２に支持されるタイトフレーム３に支持されている。
【００５２】
また、折板屋根材１０における屋根の流れ方向に沿う一部には、採光用開口部１１が形成されており、この採光用開口部１１の上に折板採光装置１が被せられるようになっている。この採光用開口部１１は、図１（ｂ）に示すように、折板屋根材１０における谷部１３を形成する両内側傾斜面と谷底部とを切り欠いたものからなっている。具体的には、切り欠いた部分は、１枚の折板屋根材１０における屋根の流れ方向の一部が除去されることによって形成されている。
【００５３】
図３に示すように、上記折板屋根材１０における採光用開口部１１の屋根の流れ方向に沿う下流側には、雨水の浸入を防止するための遮蔽板である水止面戸１４及びエプロン面戸１５が２重に形成されている。水止面戸１４は、例えば、折板屋根材１０の谷部１３を折曲して形成することが可能である。尚、本実施の形態では、遮蔽板を２重に形成したが、必ずしもこれに限らず、少なくとも１枚存在すればよい。
【００５４】
一方、折板屋根材１０における採光用開口部１１の屋根の流れ方向に沿う上流側には、水上折板塞ぎ１６が設けられている。この水上折板塞ぎ１６は、採光用開口部１１の水上部分に雨水が浸入するのを防止するためのものであり、金属製の折板採光装置１と同じ材質からなっている。この水上折板塞ぎ１６は、図４に示すように、屋根棟まで折板採光装置１が直列に延びて連設されている場合には存在せず、折板採光装置１が屋根棟にまでは連設されない場合に設けられる。
【００５５】
次に、上記折板採光装置１における構造の詳細について、説明する。
【００５６】
本実施の形態の折板採光装置１は、図１（ａ）に示すように、採光部材２０と、採光部材２０における屋根の流れ方向に沿う両側端部に沿って該採光部材２０に固定されて垂下状態に設けられた可撓性を有する採光部材支持板３０とを有している。折板採光装置１は、横幅が働き巾例えば５００ｍｍの折板屋根材１０に対応すべく例えば６１０ｍｍとなっている共に、屋根の流れ方向の長さが例えば４０１０ｍｍとなっている。尚、この寸法は例示であって、折板屋根材１０の働き巾等に合わせて適宜他の寸法にすることができる。
【００５７】
上記採光部材２０は、図５（ａ）（ｂ）に示すように、透光性を有するハニカム状複層板２１と難燃性の不織布シート２２との２層構造となっており、ハニカム状複層板２１及び不織布シート２２の周りには、ハニカム状複層板２１と不織布シート２２との間に介在されるパッキン２３、不織布シート２２を下側から押さえる下枠２４、及びこれらの部材を一体化するための採光部材２０における長手方向の両端部に設けられるチャネル２５・２５が設けられている。尚、本発明においては、採光部材２０は、必ずしもハニカム状複層板２１と難燃性の不織布シート２２との２層構造になっている必要はなく、少なくとも透光性を有する板材であれば足りる。
【００５８】
上記ハニカム状複層板２１は、透光性を有しており、図１（ｂ）に示すように、４層の水平板２１ａ…と、これら水平板２１ａ…の間に断面格子状に介在される垂直板２１ｂ…とからなっており、これらの間は空間部となっている。この結果、ハニカム状複層板２１は、ハニカム形状となっており、軽量性及び高い剛性を有すると共に、耐衝撃性、断熱性に優れたものからなっている。また、例えば、長手方向の両端面の開口をアルミニウム等の薄いフィルムにて塞いで空間部と外気との流通を無くすことによりさらなる断熱性の向上させることができる。ただし、本発明においては、採光部材２０は、必ずしもハニカム形状の複層板に限らず、単に、透光性を有する板材であればよい。
【００５９】
上記ハニカム状複層板２１は、例えば、ポリカーボネート樹脂からなっている。ただし、必ずしもこれに限らず、アクリル樹脂、ポリエチレン樹脂、ポリプロピレン樹脂等を使用することができる。ただし、ポリカーボネート樹脂は、耐候性、耐衝撃性に優れ、かつ透光性も良好であるので好ましく使用される。
【００６０】
また、本実施の形態では、ハニカム状複層板２１の下側にシートとしての少なくとも難燃性の不織布シート２２を設けている。この不織布シート２２は、詳細には、ガラスクロスの両面にシリコーン系樹脂が塗布されたものからなっており、透光性を有している。このガラスクロスの両面にシリコーン系樹脂が塗布された不織布シート２２は、建築基準法第６８条の２６第１項（同法第８８条第１項において準用する場合を含む。）の規定に基づき、同法第２条第９号及び同法施行令第１０８条の２（不燃材料）の規定に適合するものとなっている。ただし、本発明においては、必ずしも不燃材料に限らず、少なくとも難燃性を有していれば足りる。
【００６１】
この結果、本実施の形態の採光部材２０は、不織布シート２２の存在により、耐火性能を有するものとなっている。
【００６２】
次に、採光部材２０には、図５（ａ）（ｂ）に示すように、採光部材２０における屋根の流れ方向に沿う両側端部に沿って該採光部材２０に固定されて垂下状態に設けられた可撓性を有する採光部材支持板３０が設けられている。
【００６３】
上記採光部材支持板３０は、図５（ａ）に示すように、断面Ｌ字状になっており、Ｌ字水平面３１は、ハニカム状複層板２１における屋根の流れ方向に沿う両側端部に沿って該採光部材２０にビス３３によって固定されるようになっている。
【００６４】
上記採光部材支持板３０には、Ｌ字水平面３１の外側縁部から垂下する垂下板３２が設けられており、垂下板３２の下端部がさらに外側に広がる垂下板傾斜面３２ａとなっている。すなわち、垂下板傾斜面３２ａは、図１（ｂ）に示すように、折板屋根材１０の山部１２・１２における外側傾斜面１２ｃ・１２ｃと同じ角度に外側に広がっている。この結果、垂下板傾斜面３２ａと山部１２・１２における外側傾斜面１２ｃ・１２ｃとが、密着して接触できるようになっている。
【００６５】
ここで、本実施の形態では、採光部材支持板３０は、金属製の折板屋根材１０と同じ材質の鋼板からなっている。すなわち、１枚の鋼板を折曲して、Ｌ字水平面３１、垂下板３２及び垂下板傾斜面３２ａを形成している。したがって、採光部材支持板３０と折板屋根材１０とが一体に固定された場合、熱膨張係数が同じであるので、両者は同じ伸縮を示す。この結果、採光部材支持板３０と折板屋根材１０との寒暖による互いの伸縮により、一方が破壊される又は固定部材４０…での固定部分が破損するということが無くなる。
【００６６】
次に、本実施の形態の折板採光装置１では、採光部材支持板３０・３０の垂下板傾斜面３２ａ・３２ａが折板屋根材１０における山部１２・１２の外側傾斜面１２ｃ・１２ｃに当接された後、固定部材４０・４０にて固定されるようになっている。
【００６７】
上記固定部材４０は、本実施の形態では、例えば、商品名「ＢＵＬＢ−ＴＩＴＥ〔登録商標〕（ジェシバファスナーズＵＳＡインコーポレイテッド製）」等のブラインドリベットからなっている。このブラインドリベットは、片側締結工法ながら両サイドから固定するメカニズムを有しており、緊密な締結を可能とするものである。このブラインドリベットは、具体的には、釘のように見える心棒を空気圧や電動・手動等のリベッターにて作業者側へ引っ張ることによって、円筒状のリベット内側を変形させ、心棒を引きちぎることによりかしめる。これによって、採光部材支持板３０と折板屋根材１０とを重ねて締結するために、本来なら、ボルト・ナットによる両側での作業が必要となるが、ブラインドリベットからなる固定部材４０・４０を用いた場合には、片側からのみの作業にて両者を締結することができる。
【００６８】
次に、本実施の形態では、折板屋根材１０における屋根の流れ方向の長さが長い場合には、複数の折板屋根材１０を直列にして連結する。その場合、図６（ａ）（ｂ）及び図７に示すように、各折板屋根材１０の間には、接合部材としてのジョイナー４を使用する。このジョイナー４は、断面錨状にてなり、１枚の鋼板を折曲してなっている。すなわち、図６（ｂ）及び図７に示すように、ジョイナー４の錨縦部４ａは１枚の鋼板を山折して各面を接触してなっていると共に、錨縦部４ａの下端から両側に湾曲して広がっているので、錨状となっている。この結果、ジョイナー４の底部は樋部４ｂ・４ｂとなっており、雨水を横方向に流せる樋機能を有している。また、２つの採光部材２０・２０が付き合わされるジョイナー４の錨縦部４ａの両面には、例えばブチルテープ等の両面防水テープ４ｃ・４ｃが貼着されている。また、本実施の形態では、図６（ａ）に示すように、各採光部材２０・２０の突き合わせ面の上面には、防水シール５が充填されるようになっている。これにより、防水シール５、両面防水テープ４ｃ・４ｃ及び樋部４ｂ・４ｂによる止水３重構造となっている。
【００６９】
上記構成を有する折板採光装置１の施工方法について、説明する。
【００７０】
まず、本実施の形態では、図１（ａ）に示すように、工場にて折板採光装置１を組み立てておく。次いで、この折板採光装置１を現場に搬入し、図３に示すように、折板屋根材１０の採光用開口部１１の上側にセットする。このとき、折板屋根材１０における採光用開口部１１の水下には、遮蔽板である水止面戸１４及びエプロン面戸１５を形成しておく。
【００７１】
そして、当接工程として、図１（ｂ）に示すように、採光部材２０における屋根の流れ方向に沿う両側端部に沿って固定されて垂下状態に設けられた採光部材支持板３０・３０の垂下板傾斜面３２ａ・３２ａを、折板屋根材１０における採光用開口部１１を挟んで隣接する山部１２・１２の各外側傾斜面１２ｃ・１２ｃにそれぞれ当接させる。このとき、例えば、止水や緩衝を目的として例えばゴムシート等の介在物を採光部材支持板３０・３０の垂下板傾斜面３２ａ・３２ａと外側傾斜面１２ｃ・１２ｃとの間に設けてもよい。
【００７２】
次いで、固定工程として、採光部材支持板３０と山部１２・１２の外側傾斜面１２ｃ・１２ｃとを当接した状態にてブラインドリベットからなる固定部材４０・４０を用いて外側から固定する。これにより、容易に折板採光装置１を折板屋根材１０に取り付けることができる。
【００７３】
また、屋根の流れ方向に沿って直列に複数の採光部材２０を連設する場合には、図６（ａ）に示すように、介在工程として、ジョイナー４を各採光部材２０・２０の間に設け、次いで、突き合わせ工程として、ジョイナー４の錨縦部４ａに貼着された両面防水テープ４ｃ・４ｃに採光部材２０・２０を突き合わせる。これによって、採光部材２０・２０が、両面防水テープ４ｃ・４ｃに接着される。
【００７４】
最後に、シール充填工程として、各採光部材２０・２０の突き合わせ部分の上側における隙間及びその近傍上面に防水シール５を充填する。これにより、採光部材２０・２０の接続部分に対して充分な止水を行うことができる。
【００７５】
ここで、例えば、図４に示すように、折板屋根材１０に設けた折板採光装置１の水上部分が露出する場合には、図３に示すように、水上折板塞ぎ１６を被せる。これによって、折板採光装置１の水上部分における雨水の浸入を防止することができる。
【００７６】
このように、本実施の形態の折板採光装置１は、透光性を有する採光部材２０を備え、金属製の折板屋根材１０の一部に設けた採光用開口部１１に採光部材２０を被せる。そして、採光部材２０における屋根の流れ方向に沿う両側端部に沿って採光部材２０に固定されて垂下状態に設けられた可撓性を有する採光部材支持板３０と、採光部材支持板３０を折板屋根材１０における採光用開口部１１を挟んで隣接する山部１２・１２の各外側傾斜面１２ｃ・１２ｃに直接的又は間接的に当接させた状態で、採光部材支持板３０と山部１２・１２の外側傾斜面１２ｃ・１２ｃとを固定する固定部材４０・４０とからなっている。
【００７７】
また、本実施の形態の折板採光装置１の施工方法は、採光部材２０における屋根の流れ方向に沿う両側端部に沿って固定されて垂下状態に設けられた採光部材支持板３０を、折板屋根材１０における採光用開口部１１を挟んで隣接する山部１２・１２の各外側傾斜面１２ｃ・１２ｃに当接させる当接工程と、採光部材支持板３０と山部１２・１２の外側傾斜面１２ｃ・１２ｃとを直接的又は間接的に当接した状態にてブラインドリベットからなる固定部材４０・４０を用いて外側から固定する固定工程とを含んでいる。
【００７８】
尚、本実施の形態の折板採光装置１及びその施工方法において、採光用開口部１１に補強のために架橋部材を予め設けておくことは可能であるが、この架橋部材の存在は、本発明の権利範囲には影響しない。すなわち、架橋部材が無くても本発明は独自の作用効果を奏する。
【００７９】
すなわち、従来では、金属製の折板屋根材１０の一部に設けた採光用開口部１１に採光部材２０を被せる場合には、寒暖による熱収縮又は熱膨張に基づく採光部材２０の破壊を防止すべく、少なくとも採光用開口部１１に架け渡す架橋部材を設けて、採光用開口部１１の間隔が一定となるように固定した上で、該架橋部材に採光部材２０を支持させていた。さらには、架橋部材の伸縮を防止すべく、該架橋部材を支持するために、介在部材を設けて建物構造部材に支持させていた。その結果、架橋部材や介在部材を設けることが、部品点数及び工数の増加を招来することになっていた。また、架橋部材や介在部材の存在により、採光用開口部１１の一部が遮られることになり、開口率の低下を招いていた。
【００８０】
そこで、本実施の形態の折板採光装置１は、透光性を有する採光部材２０と、採光部材２０における屋根の流れ方向に沿う両側端部に沿って採光部材２０に固定されて垂下状態に設けられた可撓性を有する採光部材支持板３０と、採光部材支持板３０を折板屋根材１０における採光用開口部１１を挟んで隣接する山部１２・１２の各外側傾斜面１２ｃ・１２ｃに直接的又は間接的に当接させた状態で、採光部材支持板３０と山部１２・１２の外側傾斜面１２ｃ・１２ｃとを固定する固定部材４０・４０とからなっている。
【００８１】
このため、金属製の折板屋根材１０の一部に設けた採光用開口部１１に採光部材２０を被せる場合には、当接工程にて、採光部材２０における屋根の流れ方向に沿う両側端部に沿って固定されて垂下状態に設けられた採光部材支持板３０を、折板屋根材１０における採光用開口部１１を挟んで隣接する山部１２・１２の各外側傾斜面１２ｃ・１２ｃに当接させる。次いで、固定工程にて、採光部材支持板３０と山部１２・１２の外側傾斜面１２ｃ・１２ｃとを当接した状態にて固定部材４０・４０を用いて外側から固定する。
【００８２】
この結果、本実施の形態の折板採光装置１では、架橋部材や介在部材を設ける必要がないので、部品点数及び工数の増加を招くことがなく、かつ開口率の低下を招くこともない。
【００８３】
すなわち、本実施の形態では、採光部材支持板３０は、折板屋根材１０における山部１２・１２の各外側傾斜面１２ｃ・１２ｃに当接させた状態で固定されている。したがって、金属製の折板屋根材１０が、寒暖により伸縮して採光用開口部１１を挟んで隣接する山部１２・１２の間隔が伸縮したとしても、採光部材支持板３０が可撓性を有しているので、その伸縮は採光部材支持板３０が撓むことにより吸収される。この結果、採光部材２０が破損することはない。
【００８４】
したがって、部品点数及び工数の増加、並びに開口率の低下を招くことなく、容易に施工可能な折板採光装置１、及び折板採光装置１の施工方法を提供することができる。
【００８５】
ここで、本実施の形態の折板採光装置１の施工方法では、固定工程においては、採光部材支持板３０と山部１２・１２の外側傾斜面１２ｃ・１２ｃとを直接的又は間接的に当接した状態にてブラインドリベットからなる固定部材４０・４０を用いて外側から固定する。このため、施工に際して、屋根の上側のみからの作業で採光部材支持板３０の固定作業を行うことができるので、容易に施工することができる。したがって、工数の削減を図ることができる。
【００８６】
また、本実施の形態の折板採光装置１では、固定部材４０は、ブラインドリベットからなっている。すなわち、ブラインドリベットは、片側締結工法ながら両サイドから固定するメカニズムを有し、緊密な締結を可能とするものである。この結果、施工に際して、ブラインドリベットからなる固定部材４０を用いることにより、屋根の上側のみからの作業で採光部材支持板３０の固定作業を行うことができる。したがって、容易に施工することができ、工数の削減を図ることができる。
【００８７】
また、本実施の形態の折板採光装置１では、採光部材支持板３０は、折板屋根材１０と同一種の材料からなっている。これにより、採光部材支持板３０と折板屋根材１０とは同一の線膨張係数を有して互いに同じ伸縮性を有する。この結果、例えば、屋根の流れ方向において固定部材４０の取り付け位置等に応力がかかることがないので、固定部材４０の取り付け位置が破損するということがない。
【００８８】
また、本実施の形態の折板採光装置１では、採光部材２０は、ハニカム状複層板を備えている。これにより、軽量であって、かつ高い剛性及び断熱性を確保することができるので、寒冷地での積雪等にも適した折板採光装置１を提供することができる。
【００８９】
また、本実施の形態の折板採光装置１では、採光部材２０は、ハニカム状複層板の下側に透光性を有する少なくとも難燃性の不織布シート２２備えている。尚、前記採光部材は、建築基準法第６３条（屋根）並びに同法施工令第１３６条の２の２第１号及び第２号（防火地域又は準防火地域内の建築物の屋根）の規定に適合するものであることが好ましい。
【００９０】
これにより、採光部材２０が例えば樹脂製品にてなっていても、一定の耐火性能を有するので、採光部材２０が容易に燃焼するのを防止することができる。したがって、工場等の折板屋根材１０に適用することができる。
【００９１】
また、本実施の形態の折板採光装置１では、採光部材２０は、屋根の流れ方向に沿って直列に複数設けられると共に、各採光部材２０の間には、採光部材２０の突き合わせ面に両面防水テープ４ｃ・４ｃが貼着され、かつ樋機能を有する断面錨状のジョイナー４が設けられる。
【００９２】
また、本実施の形態の折板採光装置１の施工方法では、屋根の流れ方向に沿って直列に複数の採光部材２０を設ける場合に、採光部材２０の突き合わせ面に両面防水テープ４ｃ・４ｃが貼着されており、かつ樋機能を有する断面錨状のジョイナー４を各採光部材２０・２０の間に設ける介在工程と、ジョイナー４を介在させた状態で、ジョイナー４に貼着された両面防水テープ４ｃ・４ｃに採光部材２０を突き合わせる、突き合わせ工程とを含む。
【００９３】
これにより、屋根の流れ方向に沿って採光部材が直列に複数設けられる場合に、介在工程にて、各採光部材２０の間にジョイナー４を介在させる。次いで、突き合わせ工程にて、ジョイナー４に貼着された両面防水テープ４ｃ・４ｃに採光部材２０を突き合わせる。
【００９４】
この結果、ジョイナー４を用いることにより、複数の採光部材２０…を直列に容易に連結することができる。そして、雨水に対しても、採光部材２０の突き合わせ面での両面防水テープ４ｃ・４ｃによる止水、及び樋機能を有する断面錨状のジョイナー４によって２重の止水構造を有しているので、止水性能も充分である。
【００９５】
また、本実施の形態の折板採光装置１では、採光部材２０は、屋根の流れ方向に沿って直列に複数設けられると共に、各採光部材２０の間には、採光部材２０の突き合わせ面に両面防水テープ４ｃ・４ｃが貼着され、かつ樋機能を有する断面錨状のジョイナー４が設けられ、各採光部材２０における突き合わせ部分の上面には、防水シール５が充填される。
【００９６】
また、本実施の形態の折板採光装置１の施工方法では、屋根の流れ方向に沿って直列に複数の採光部材２０を設ける場合に、採光部材２０の突き合わせ面に両面防水テープ４ｃ・４ｃが貼着されており、かつ樋機能を有する断面錨状のジョイナー４を各採光部材２０・２０の間に設ける介在工程と、ジョイナー４を介在させた状態で、ジョイナー４に貼着された両面防水テープ４ｃ・４ｃに採光部材２０を突き合わせる、突き合わせ工程と、各採光部材２０における突き合わせ部分の上面に、防水シール５を充填するシール充填工程と含む。
【００９７】
これにより、屋根の流れ方向に沿って採光部材が直列に複数設けられる場合に、介在工程にて、各採光部材２０の間にジョイナー４を介在させる。次いで、突き合わせ工程にて、ジョイナー４に貼着された両面防水テープ４ｃ・４ｃに採光部材２０を突き合わせる。最後に、シール充填工程にて、各採光部材２０における突き合わせ部分の上面に、防水シール５を充填する。
【００９８】
この結果、ジョイナー４を用いることにより、複数の採光部材２０…を直列に容易に連結することができる。そして、雨水に対しても、上面の防水シール５、採光部材２０の突き合わせ面での両面防水テープ４ｃ・４ｃによる止水、及び樋機能を有する断面錨状のジョイナー４によって３重の止水構造を有しているので、止水性能もさらに充分である。
【００９９】
また、本実施の形態のジョイナー４は、折板採光装置１に備えられ、採光部材２０が屋根の流れ方向に沿って直列に複数設けられる場合に各採光部材２０・２０の間に使用される。そして、ジョイナー４は、断面錨状にてなり、採光部材２０の突き合わせ面には両面防水テープ４ｃ・４ｃが貼着されていると共に、底部には樋部４ｂ・４ｂが設けられている。
【０１００】
上記の構成によれば、ジョイナー４によって、複数の採光部材２０を直列に容易に連結することができる。そして、雨水に対しても、本実施の形態の断面錨状のジョイナー４によって、採光部材２０の突き合わせ面での両面防水テープ４ｃ・４ｃによる止水ができ、万一、雨水がさらに下に漏れた場合でも底部に設けられた樋部４ｂ・４ｂによる止水が可能となる。この結果、採光部材２０の突き合わせ面での両面防水テープ４ｃ・４ｃによる止水、及び樋部４ｂ・４ｂによる２重の止水構造を有していることになるので、止水性能も充分である。
【０１０１】
また、各採光部材２０の突き合わせ面の上面に防水シール５を充填することによって、上面の防水シール５、採光部材２０の突き合わせ面での両面防水テープ４ｃ・４ｃによる止水、及び樋部４ｂ・４ｂによる３重の止水構造を有していることになるので、止水性能もさらに充分である。
【０１０２】
したがって、部品点数及び工数の増加、並びに開口率の低下を招くことなく、容易に施工可能な折板採光装置１に好適に使用されるジョイナー４を提供することができる。
【０１０３】
尚、本発明は、上述した実施形態に限定されるものではなく、請求項に示した範囲で種々の変更が可能であり、本実施形態にそれぞれ開示された技術的手段を適宜組み合わせて得られる実施形態についても本発明の技術的範囲に含まれる。
【産業上の利用可能性】
【０１０４】
本発明は、金属製の折板屋根材の一部に設けた採光用開口部に透光性を有する採光部材を被せる折板採光装置、接合部材、及び折板採光装置の施工方法に適用することが可能である。例えば、工場、体育館、レジャー施設等の屋根に適用できる。また、耐火性能を有するので、工場等の金属製の折板屋根材に適している。
【符号の説明】
【０１０５】
１        折板採光装置
４        ジョイナー（接合部材）
４ａ      錨縦部
４ｂ      樋部
４ｃ      両面防水テープ
５        防水シール
１０        折板屋根材
１１        採光用開口部
１２        山部
１２ｃ      外側傾斜面
１３        谷部
１４        水止面戸
１５        エプロン面戸
１６        水上折板塞ぎ
２０        採光部材
２１        ハニカム状複層板
２１ａ      水平板
２１ｂ      垂直板
２２        不織布シート
３０        採光部材支持板
３１        Ｌ字水平面
３２        垂下板
３２ａ      垂下板傾斜面
４０        固定部材
【図１】
2013185374.tif 000003
【図２】
2013185374.tif 000004
【図３】
2013185374.tif 000005
【図４】
2013185374.tif 000006
【図５】
2013185374.tif 000007
【図６】
2013185374.tif 000008
【図７】
2013185374.tif 000009
【図８】
2013185374.tif 000010
【図９】
2013185374.tif 000011